(57)【要約】【課題】蓄電池状態監視システムに関して、蓄電池システム内での測定装置と蓄電池との接続構成の自由度を高くでき、より高精度の測定や状態推定ができる技術を提供する。【解決手段】蓄電池状態監視システムは、蓄電池群５０に対して接続される複数の測定装置４と、複数の測定装置４に対して接続される上位装置１０とを備える。複数の測定装置４は、所定の接続数Ｘとして第１数（例えば３）の蓄電池５が接続される装置と、第２数（例えば４）の蓄電池５が接続される装置との混在が許容されている。各測定装置４は、接続数Ｘを含む構成情報を把握し、蓄電池５毎に電圧の測定値を含む測定データを取得する。上位装置１０は、各測定装置４の接続数Ｘを含む構成情報を把握し、測定装置４からの測定データに係わる接続数Ｘを確認し、接続数Ｘに応じた設定情報を用いて、蓄電池５毎の放電容量を含む状態を推定する計算処理を行う。【選択図】図１
2019192562.tif 000002
【特許請求の範囲】
【請求項１】
蓄電池群に対して接続される複数の測定装置と、
前記複数の測定装置に対して接続される上位装置と、
を備え、
前記複数の測定装置は、所定の接続数として第１数の蓄電池が接続される第１種測定装置と、第２数の蓄電池が接続される第２種測定装置との混在が許容され、
前記複数の測定装置の各々の測定装置は、
前記接続数を含む第１構成情報を把握し、
前記接続数の蓄電池のうちの対象の蓄電池毎に、電圧および内部インピーダンスの測定値を含む測定データを取得し、
前記上位装置は、
前記各々の測定装置の前記接続数を含む第２構成情報を把握し、
前記測定装置から前記測定データを取得し、前記測定データに係わる前記接続数を確認し、前記接続数に応じた設定情報を用いて、前記対象の蓄電池毎の放電容量を含む状態を推定する計算処理を行う、
蓄電池状態監視システム。
【請求項２】
請求項１記載の蓄電池状態監視システムにおいて、
前記接続数における前記第１数が３、前記第２数が４であり、
前記蓄電池群の蓄電池総数として、３倍数と４倍数との組み合わせによる数が可能である、
蓄電池状態監視システム。
【請求項３】
請求項１記載の蓄電池状態監視システムにおいて、
前記測定装置は、前記接続数を含む前記第１構成情報を、前記上位装置へ通知し、
前記上位装置は、前記第１構成情報に基づいて前記第２構成情報を更新する、
蓄電池状態監視システム。
【請求項４】
請求項１記載の蓄電池状態監視システムにおいて、
前記測定装置は、前記測定データに、前記接続数を含む情報を記述し、
前記上位装置は、前記測定データに記述されている前記接続数を含む情報を確認する、
蓄電池状態監視システム。
【請求項５】
請求項１記載の蓄電池状態監視システムにおいて、
前記設定情報は、前記接続数に応じて異なる閾値を有する、
蓄電池状態監視システム。
【請求項６】
請求項１記載の蓄電池状態監視システムにおいて、
前記測定装置は、
前記接続数の蓄電池を接続するための複数の端子を持つインタフェース部を有し、前記インタフェース部の前記複数の端子のうちの対応する端子と、前記接続数の蓄電池の各々の蓄電池毎の正極または負極の少なくとも一方の端子との間が接続線で接続され、
前記インタフェース部の前記対応する端子を通じた入力電気信号の有無に基づいて前記接続数を把握する、
蓄電池状態監視システム。
【請求項７】
請求項１記載の蓄電池状態監視システムにおいて、
前記蓄電池群と前記複数の測定装置とを搭載する機器を備え、
前記蓄電池群は、複数の蓄電池が直列に接続された組電池を有し、
前記組電池は、正極および負極の端子が制御電源装置に接続され、前記制御電源装置を通じて、負荷への放電が制御される、
蓄電池状態監視システム。
【請求項８】
請求項１記載の蓄電池状態監視システムにおいて、
前記蓄電池は鉛蓄電池である、
蓄電池状態監視システム。
【発明の詳細な説明】
【技術分野】
【０００１】
本発明は、蓄電池の状態を監視する蓄電池状態監視システム等の技術に関し、バックアップや出力変動緩和等の用途で常に負荷に接続される蓄電池群を対象として、通電して蓄電池の状態の測定や推定を行う技術に関する。
【背景技術】
【０００２】
蓄電池状態監視システムでは、蓄電池の電圧、温度、内部インピーダンス等を測定し、測定データに基づいて蓄電池の放電容量等を推定し、蓄電池の寿命や劣化等の状態を検出する。蓄電池状態監視システムでは、蓄電池システムの蓄電池群に対して接続される測定装置（蓄電池状態測定装置）が設けられる。１台の測定装置には、１または複数の蓄電池が電気的接続される。例えば、蓄電池が単セルの鉛蓄電池である場合に、１台の測定装置に、直列接続された複数の単セルの鉛蓄電池が１ユニットとして接続される場合がある。
【０００３】
蓄電池状態監視システムに係わる先行技術例として、特開２００５−２６１５３号公報（特許文献１）が挙げられる。特許文献１には、蓄電池監視システムとして、複数の蓄電池からなる組電池の温度を検出し、各単電池の電圧や内部抵抗を測定し、単電池の寿命を判定する旨が記載されている。
【先行技術文献】
【特許文献】
【０００４】
【特許文献１】特開２００５−２６１５３号公報
【発明の概要】
【発明が解決しようとする課題】
【０００５】
従来技術例の蓄電池状態監視システムおよび蓄電池システムでは、測定装置と蓄電池との接続構成として、例えば１台の測定装置に、所定数として３個または４個の蓄電池（例えば単セルの鉛蓄電池）が接続可能であった。要件および設計に応じて、１つの蓄電池システム全体では、複数の各々の測定装置は、３個または４個のいずれか一方の所定数の蓄電池の接続構成のみで、実装、運用される必要があった。言い換えると、従来技術例の蓄電池状態監視システムおよび蓄電池システムでは、３個の蓄電池の接続構成の測定装置と、４個の蓄電池の接続構成の測定装置との混在は許容されていなかった。
【０００６】
そのため、従来技術例の蓄電池システムで実現できる蓄電池総数およびそれによる電力は、３倍数または４倍数の一方によるものであり、パターンとして限られ、実装の自由度が小さかった。また、仮に、１つの蓄電池システム内で、３個の蓄電池の接続構成の測定装置と４個の蓄電池の接続構成の測定装置とを混在させた場合、異なる種類の測定データが混在する。上位装置では、それらの測定データに対し、同じ閾値や計算式を用いて状態推定計算等を行うので、正確な推定や判定ができない。
【０００７】
本発明の目的は、蓄電池状態監視システムの技術に関して、蓄電池システム内での測定装置と蓄電池との接続構成の自由度を高くでき、より高精度の測定や状態推定ができる技術を提供することである。
【課題を解決するための手段】
【０００８】
本発明のうち代表的な実施の形態は、蓄電池状態監視システムであって、以下に示す構成を有することを特徴とする。一実施の形態の蓄電池状態監視システムは、蓄電池群に対して接続される複数の測定装置と、前記複数の測定装置に対して接続される上位装置と、を備え、前記複数の測定装置は、所定の接続数として第１数の蓄電池が接続される第１種測定装置と、第２数の蓄電池が接続される第２種測定装置との混在が許容され、前記複数の測定装置の各々の測定装置は、前記接続数を含む第１構成情報を把握し、前記接続数の蓄電池のうちの対象の蓄電池毎に、電圧の測定値を含む測定データを取得し、前記上位装置は、前記各々の測定装置の前記接続数を含む第２構成情報を把握し、前記測定装置から前記測定データを取得し、前記測定データに係わる前記接続数を確認し、前記接続数に応じた設定情報を用いて、前記対象の蓄電池毎の放電容量を含む状態を推定する計算処理を行う。
【発明の効果】
【０００９】
本発明のうち代表的な実施の形態によれば、蓄電池状態監視システムの技術に関して、蓄電池システム内での測定装置と複数の蓄電池との接続構成の自由度を高くでき、より高精度の測定や状態推定ができる。
【図面の簡単な説明】
【００１０】
【図１】本発明の実施の形態１の蓄電池状態監視システムの構成を示す図である。
【図２】実施の形態１の蓄電池状態監視システムの実装構成例を示す図である。
【図３】実施の形態１で、１台の測定装置（子機）と複数の蓄電池との接続構成の例を示す図である。
【図４】実施の形態１で、１台の測定装置（子機）と複数の蓄電池との接続構成の別例を示す図である。
【図５】実施の形態１で、電源装置の構成例を示す図である。
【図６】実施の形態１で、実装例として各装置間の接続構成例を示す図である。
【図７】実施の形態１で、電源装置における蓄電池群の配置構成例を示す図である。
【図８】実施の形態１で、構成情報や測定データの構成例を示す図である。
【図９】実施の形態１で、測定装置（子機）の構成例を示す図である。
【図１０】実施の形態１に対する比較例の蓄電池状態監視システムにおける装置間の接続構成例を示す図である。
【図１１】比較例で、電源装置における蓄電池群の配置構成例を示す図である。
【発明を実施するための形態】
【００１１】
以下、本発明の実施の形態を図面に基づいて詳細に説明する。なお、実施の形態を説明するための全図において同一部には原則として同一符号を付し、その繰り返しの説明は省略する。
【００１２】
（実施の形態１）
図１〜図１１を用いて、本発明の実施の形態１の蓄電池状態監視システムについて説明する。実施の形態１の蓄電池状態監視システムでは、１つの蓄電池システム内における、複数の各々の測定装置と複数の蓄電池との接続構成として、１台の測定装置に接続される蓄電池（例えば単セルの鉛蓄電池）の数を接続数Ｘとして、第１数（Ｘ＝３）の接続構成と、第２数（Ｘ＝４）の接続構成との２種類の接続構成の混在が許容される。
【００１３】
実施の形態１の蓄電池状態監視システムは、その混在を可能とするハードウェアおよびソフトウェアの構成を有する。測定装置および上位装置は、その混在の構成を、構成情報として把握する。上位装置は、その混在の構成に対応させて、各測定装置からの測定データに係わる接続数Ｘに応じて、蓄電池毎の状態の推定計算や判定を行う。
【００１４】
［蓄電池状態監視システム（１）］
図１は、実施の形態１の蓄電池状態監視システムの構成を示す。実施の形態１の蓄電池状態監視システムは、上位装置１０と、電源装置４０（特にそのうちの複数の測定装置４）とを有し、これらが通信網１０２を通じて接続されている。電源装置４０は、監視対象である蓄電池群５０と、蓄電池群５０に接続される複数（ｍ個）の測定装置４とを有し、それらが接続されている。蓄電池群５０は、直列接続された複数（ｎ個）の蓄電池５である組電池を有し、それらの正極および負極の端子が制御電源装置６０と接続されている。制御電源装置６０は、通信網１０２と接続されている。
【００１５】
顧客拠点（顧客環境）等において、常時稼働の必要がある重要な機器やシステム等（一例としてデータセンタ）である負荷７２を有する。負荷７２には、蓄電池群５０を含む電源装置４０、および制御電源装置６０が接続される場合がある。電源装置４０の蓄電池群５０は、制御電源装置６０を通じて、負荷７２等に常に電気的接続されている。
【００１６】
制御電源装置６０は、例えば無停電電源装置（ＵＰＳ：Uninterruptible Power Supply）、電力制御装置（ＰＣＳ：Power Conditioning System）、直流電源装置等である。制御電源装置６０は、充放電制御部６１を含み、蓄電池群５０に対する充電および放電を制御する装置である。制御電源装置６０は、電力系統（商用電源）７１、負荷７２、発電装置７３等と接続されている。電力系統（商用電源）７１は、交流電力を供給する。負荷７２は、バックアップや出力変動緩和等の対象となる、顧客拠点の任意の機器やシステムである。発電装置７３は、無い場合もあるが、発電電力を供給する。制御電源装置６０は、電力系統７１からの充電や、発電装置７３からの発電電力による充電を行い、負荷７２に対する放電を行う。制御電源装置６０は、例えば、顧客環境の停電の検出時には、蓄電池群５０に充電されている電力に基づいて、負荷７２への放電を行う。制御電源装置６０は、例えば、停電からの復帰の検出時には、電力系統７１等からの電力に基づいて、蓄電池群５０への充電を行う。充電によって蓄電池５の充電状態が１００％に近付けられる。
【００１７】
蓄電池群５０は、通常時には、制御電源装置６０の制御に基づいて、商用電源７１からの供給電力による充電の動作が行われる。蓄電池群５０は、非常時等には、制御電源装置６０の制御に基づいて、負荷７２への放電の動作が行われる。例えば、停電や瞬断等、商用電源７１からの電力供給が途絶えた場合、あるいはその電力を利用しない場合や利用できない場合（「非常時」）が発生し得る。非常時等の場合にも、電源装置４０から制御電源装置６０を通じて負荷７２に電力供給を継続できる。なお、電源装置４０および制御電源装置６０等を含むシステムを、蓄電池システムと記載する場合がある。蓄電池群５０は、並列接続された組電池を有してもよい。
【００１８】
また、制御電源装置６０は、充電や放電に係わる状態検出値や情報（充放電情報ＩＮＦとする）を有し、その充放電情報ＩＮＦを出力する機能を有する。上位装置１０等の装置は、通信網１０２を通じて、制御電源装置６０から、充放電情報ＩＮＦを取得して、監視等に利用することができる。充放電情報ＩＮＦは、例えば、充電や放電の有無や日時、充放電の際に蓄電池群５０に流れる電流の検出値、等が挙げられる。なお、蓄電池５の内部抵抗のうちの直流成分である直流抵抗値については、充放電情報ＩＮＦに基づいて、蓄電池５の充放電時の電圧値、電流値を用いて計算できる。
【００１９】
蓄電池５は、放電が何回も行われるにつれて、放電容量が徐々に低下し、寿命に近付く。また、蓄電池５は、非動作状態でも経年劣化する。蓄電池５の放電容量の低下による寿命や、劣化による故障等の状態になった場合、電源装置４０の蓄電池群５０による最適な放電動作ができない。そのため、蓄電池状態監視システムを用いて、自動的に、蓄電池群５０の状態を監視し、蓄電池５の寿命や劣化等を検出することが有効である。蓄電池状態監視システムは、蓄電池５の電圧、温度、内部インピーダンス等を測定し、測定値を用いて、蓄電池５の充電状態（State of charge）や放電容量（discharged capacity）を推定する。これにより、蓄電池状態監視システムは、蓄電池５の寿命時期等を判定し、ユーザに対してアナウンス情報等を出力する。
【００２０】
電源装置４０において、複数の測定装置４における各測定装置４は、蓄電池状態測定装置である。１台の測定装置４は、所定の最大数（例えば４個）までの所定の複数（接続数Ｘ）の蓄電池５と接続されている。特に、各測定装置４は、接続数Ｘとして３個（第１数）または４個（第２数）のいずれかの数の蓄電池５が接続される接続構成を有する。図１の構成例では、１つの蓄電池システム内で、第１種としてＸ＝３個の蓄電池５と接続された測定装置４（例：ＩＤ＝Ｃ１）と、第２種としてＸ＝４個の蓄電池５と接続された測定装置４（例：ＩＤ＝Ｃ２）とが混在している。
【００２１】
測定装置４は、直列接続された複数（接続数Ｘ）の蓄電池５を１ユニットとした単位で、および各々の蓄電池５毎の単位で、電圧（端子間電圧）、温度（近傍温度）、および内部インピーダンスを測定する機能を有する。測定装置４は、例えば、蓄電池５の正極端子と負極端子との端子間の電圧値を常時に測定する。また、測定装置４は、例えば、蓄電池５に近接した位置に設けられた温度センサを用いて、蓄電池５の近傍温度を常時に測定する。また、測定装置４は、例えば、蓄電池５の端子間に、内部抵抗に対応する内部インピーダンスを測定するための所定の測定周波数（例えば２種類以上の各測定周波数）の電流波形を印加し、それに対する応答電圧波形を測定する。その応答電圧波形のデータから内部インピーダンスが計算可能である。測定装置４は、それらの電圧、温度、および内部インピーダンスを含む測定データをメモリに記憶保持し、上位装置１０に送信する。
【００２２】
測定装置４は、接続数把握部１４０を備える。接続数把握部１４０は、自身の測定装置４に接続されている蓄電池５の数を、接続数Ｘとして把握する。測定装置４は、接続数Ｘを含む、自身の測定装置４および接続される蓄電池５の構成に関する構成情報（第１構成情報）を、メモリに記憶保持し、上位装置１０に通知する。測定装置４は、自身に係わる構成が変更された場合には、構成情報を更新し、上位装置１０へ通知する。
【００２３】
上位装置１０は、監視対象となる電源装置４０の蓄電池群５０の状態に係わる監視処理を行う監視処理装置である。上位装置１０は、各測定装置４から測定データを取得して記憶手段に保存し、蓄電池５毎の状態を監視する。上位装置１０は、測定データに基づいて、各蓄電池５の状態を推定する計算処理を行い、蓄電池５の健全性確認、寿命推定、劣化等の判定、検出を行う。上位装置１０は、状態推定結果等を含む監視情報を作成、保存し、ユーザに対して出力する。
【００２４】
上位装置１０は、監視アプリケーション１０１を備える。監視アプリケーション１０１は、上位装置１０のＣＰＵ等のハードウェアに基づいたソフトウェアプログラム処理によって、監視処理を行う。監視アプリケーション１０１は、機能ブロックとして、測定データ取得部１０１Ａ、放電容量推定部１０１Ｂ、ＧＵＩ部１０１Ｃ、構成把握部１０１Ｄを含む。
【００２５】
測定データ取得部１０１Ａは、通信網１０２を通じて、電源装置４０の複数の各測定装置４との通信に基づいて、測定データを取得する。測定データは、測定日時、測定装置４のＩＤ等の情報や、蓄電池５の各パラメータ（電圧、温度、内部インピーダンス）の測定値を含む。
【００２６】
放電容量推定部１０１Ｂは、測定データや設定情報を用いて、蓄電池５毎の放電容量等を推定する計算処理を行い、推定結果情報を含む監視情報を作成する。上位装置１０（監視アプリケーション１０１）は、測定データや監視情報等を、記憶手段に保持する。
【００２７】
ＧＵＩ部１０１Ｃは、ユーザ（監視作業者等）に対するグラフィカル・ユーザ・インタフェース（ＧＵＩ）としての画面等を提供する。ＧＵＩ部１０１Ｃは、上位装置１０に内蔵または接続される入力機器や出力機器の入出力インタフェースを含む。ＧＵＩ部１０１Ｃは、ユーザの入力操作による指示等を受け付ける。ＧＵＩ部１０１Ｃは、測定データや監視情報や構成情報を、所定の形式でまとめて、画面に表示する。ユーザは、画面を見ることで、電源装置４０の蓄電池群５０の状態や構成を認識できる。
【００２８】
構成把握部１０１Ｄは、蓄電池システム（電源装置４０）の各測定装置４および各蓄電池５を含む構成を把握し、構成情報（第２構成情報）として一元管理する。構成把握部１０１Ｄは、ユーザによる設定、または測定装置４からの第１構成情報の通知に基づいて、自身が管理している第２構成情報を作成または更新する。構成把握部１０１Ｄは、測定装置４からの第１構成情報の通知を受信した場合、その第１構成情報を用いて、自身の第２構成情報の内容を最新の状態に更新する。
【００２９】
測定データ取得部１０１Ａは、測定装置４からの測定データを取得した際、構成把握部１０１Ｄの構成情報の参照に基づいて、測定データの送信元の測定装置４の接続数Ｘ等の情報を確認する。なお、測定装置４が測定データ内に接続数Ｘ等の情報を記述している場合、測定データ取得部１０１Ａは、取得した測定データ内のその情報を参照することで、接続数Ｘ等を確認できる。
【００３０】
放電容量推定部１０１Ｂは、測定データおよび接続数Ｘ等の情報に基づいて、蓄電池５毎の状態を推定する計算処理を行う。その際、放電容量推定部１０１Ｂは、測定装置４の接続数Ｘ（＝３または４）に応じた閾値や計算式等を用いて、蓄電池５毎の放電容量等を推定する計算処理を行う。これにより、接続数Ｘの構成に合わせた正確な状態推定が可能である。
【００３１】
蓄電池状態監視システムの上位装置１０は、蓄電池５の使用時間に応じた標準的な更新時期をユーザに対してアナウンスする。それだけでなく、上位装置１０は、蓄電池５の放電容量等の推定結果に基づいて、蓄電池５が寿命（寿命時期）に近付いた状態を検出し、その場合に、その蓄電池５の状態およびその蓄電池５の保守や更新や交換等の時期（保守時期と記載する）を判断して、ユーザに対してアナウンス情報を出力する。
【００３２】
［蓄電池状態監視システム（２−１）］
図２は、図１の実施の形態１の蓄電池状態監視システムの実装構成例を示す。図２の構成と図１の構成との対応関係としては、図１の上位装置１０が、図２では、遠隔監視サーバ１、統括親機２、および親機３等で構成されている。図１の複数の測定装置４は、図２では複数の子機４として構成されている。図２のシステムの場合、複数の顧客拠点の各蓄電池システムの状態を遠隔監視サーバ１で一括して監視し、一元管理することができる。図２のシステムは、装置および通信に関するツリー状の階層構成を有する。
【００３３】
図２の蓄電池状態監視システムを含むシステム全体は、遠隔監視サーバ１、ユーザ端末９、顧客拠点毎の蓄電池システムを有し、これらが広域通信網９０を介して接続されている。広域通信網９０は、インターネットやモバイル網等のインフラを含む。蓄電池システムは、制御装置２０、複数の親機３、電源装置４０、制御電源装置６０等を含む。電源装置４０は、複数の蓄電池装置６を含む。蓄電池装置６は、子機４と複数の蓄電池５とを含む。
【００３４】
遠隔監視サーバ１は、クラウドコンピューティングシステム上のクラウドサーバとして構成されている。遠隔監視サーバ１は、対象となる顧客拠点の電源装置４０の蓄電池群５０について、遠隔監視処理を行うサーバ装置である。遠隔監視サーバ１は、設定情報、構成情報、測定データ、監視情報等のデータ／情報を、データベース（ＤＢ）１００に格納し管理する。遠隔監視サーバ１は、図１の監視アプリケーション１０１に対応するアプリ（遠隔監視アプリケーション）を備える。遠隔監視サーバ１は、蓄電池５毎の状態の傾向管理を行い、閾値管理に基づいて蓄電池５毎の劣化や異常、および寿命を含む状態を推定し検出する。アプリは、監視処理機能として、放電容量等の状態の推定や、劣化等の状態の判定、検出を行う機能を有する。また、アプリは、測定値や計算値等のデータをグラフや表等の形式にして画面に表示する機能を有する。また、この蓄電池状態監視システムは、各装置間の接続構成や各装置間の通信異常等についても検出する機能を有する。
【００３５】
遠隔監視サーバ１は、統括親機２に対する指令の送信や、統括親機２からの測定データや構成情報の取得を行う。遠隔監視サーバ１は、取得した測定データをＤＢ１００に記憶し、必要に応じて読み出して画面にグラフや表等の形式で表示する。遠隔監視サーバ１は、対象の蓄電池５の測定データについて、構成情報に基づいて、蓄電池種類、接続数Ｘ、直列接続数、並列接続数等を確認する。遠隔監視サーバ１は、接続数Ｘ等に応じた計算式や閾値を参照して、蓄電池５毎の放電容量等の状態推定計算処理や寿命判定処理等を行う。遠隔監視サーバ１は、推定結果を含む監視情報を、画面にグラフや表等の形式で表示する。
【００３６】
ユーザ端末９は、ユーザ（遠隔監視作業者）が操作するクライアント端末であり、遠隔監視サーバ１等にアクセスする。遠隔監視サーバ１は、ユーザ端末９に対し、監視情報等を表示するＧＵＩ画面（例えばＷｅｂページ）を提供する。
【００３７】
制御装置２０は、蓄電池システムの制御装置であり、統括親機２と、オプション構成の場合の現地監視ＰＣ２１とを含む。現地監視ＰＣ２１は、蓄電池状態監視システムにおけるオプション機能として顧客拠点での現地監視を行う場合に設けられる装置である。顧客毎に、遠隔監視サーバ１の代わりに現地監視ＰＣ２１を使用してもよいし、使用しなくてもよいし、両方を使用してもよい。現地監視ＰＣ２１には、遠隔監視サーバ１の機能と類似の監視処理機能を有する。現地監視ＰＣ２１では、遠隔監視はできないが、状態推定等の基本的な監視機能を利用でき、外部への通信接続が不要であり、顧客拠点内で閉じた運用が可能である。例えば、顧客拠点で、セキュリティ等の観点から、外部との通信が制限される場合、現地監視ＰＣ２１が使用される。
【００３８】
統括親機２は、下位に接続される複数の親機３を統括制御する装置であり、広域通信網９０と接続して通信するゲートウェイ機能や、通信網７０との通信インタフェース機能を備える。なお、統括親機２とは別にゲートウェイ機器が設けられてもよい。統括親機２は、上位の遠隔監視サーバ１と通信し、遠隔監視サーバ１からの指令に従って、複数の親機３を制御する。統括親機２は、通信網７０を通じて複数の親機２から測定データ等を取得し、遠隔監視サーバ１に送信して保存させる。統括親機２は、複数（例えば最大８台。図２の例では２台）の親機３との通信が可能である。統括親機２と遠隔監視サーバ１との通信は、公共のモバイル通信を使用しつつ、セキュリティが確保される。統括親機２は、例えば設定された所定のスケジュールで、下位の装置群から測定データを収集する。
【００３９】
通信網７０は、例えばＥｔｈｅｒｎｅｔ（登録商標）が用いられ、例えば有線ＬＡＮである。通信網７０を通じて、統括親機２、複数の親機３、制御電源装置６０が接続され、相互通信可能である。
【００４０】
複数の親機３と複数の子機（測定装置）４とは、無線通信網８０を通じて無線接続され、相互通信可能である。無線通信網８０は、例えばＩＥＥＥ８０２．１５．４に準拠する無線通信網である。親機３は無線通信親機であり、子機４は無線通信子機である。複数の親機３として、例えば２つの親機３（ＩＤ＝Ｐ１，Ｐ２）を示す。親機３は、下位の複数の子機４から測定データ等を取得し、統括親機２へ送信する。親機３と子機４との間では、設定された無線周波数のチャネルで無線通信処理が行われる。親機３は、複数（例えば最大２７０台）の子機４との無線通信が可能である。
【００４１】
複数の親機３は、複数（ｎ個）の子機４との通信を分担する構成を有する。例えば、一方の親機Ｐ１が半分の数の子機４を担当し、他方の親機Ｐ２が他の半分の数の子機４を担当する。あるいは、複数の親機３は、複数（ｎ個）の子機４との通信を重複して担当する多重化構成を有してもよい。例えば、一方の親機Ｐ１および他方の親機Ｐ２がそれぞれ同じ複数（ｎ個）の子機４と通信する。
【００４２】
顧客拠点の蓄電池システムでは、図１の負荷７２に対して接続される、１つ以上の電源装置４０を有する。電源装置４０は、複数（ｍ個）の子機（測定装置）４と、複数（ｎ個）の蓄電池５が直列接続された組電池である蓄電池群５０とを備え、それらが図１と同様に接続されている。蓄電池群５０は、制御電源装置６０と接続され、前述のように充放電が制御される。１つの子機４と複数（接続数Ｘ）の蓄電池５とを含む部分が、蓄電池装置（測定装置付き蓄電池）６として構成されている。
【００４３】
複数（ｍ個）の子機４（ＩＤ＝Ｃ１，Ｃ２，……，Ｃｍ）は、それぞれ前述の蓄電池状態測定装置である。子機４は、接続されている各蓄電池５の電圧、温度、および内部インピーダンスを測定し、測定データを記憶し、無線通信で親機３へ送信する。子機４は、例えば１００ミリ秒毎の時間単位で電圧を常時測定し、例えば１秒毎の時間単位で温度を常時測定し、各測定値を保持する。子機４は、例えば５分の周期のタイミングで、電圧および温度の測定データを、親機３へ送信する。また、子機４は、親機３からの指令に基づいて、例えば１日１回の周期のタイミングで、内部インピーダンスを測定し、測定データを親機３へ送信する。
【００４４】
遠隔監視サーバ１や統括親機２等の装置（上位装置１０）では、顧客拠点の蓄電池システムの設置時に、統括親機２、親機３、子機４、蓄電池５等の各装置を含むシステムの構成情報が設定される。この構成情報は、各装置のＩＤ（識別情報）や通信アドレスや数や種類、蓄電池５の直列接続数や並列接続数、接続関係、接続数Ｘ（子機セル数）、等の情報を含む。設定情報には、接続数Ｘに応じた閾値（推定用閾値、判定用閾値）を含む。遠隔監視サーバ１と統括親機２は、相互通信で、それぞれ構成情報を把握し、同期する。遠隔監視サーバ１は、ＤＢ１００に構成情報を格納し、構成変更の際には更新する。接続数Ｘに対応する子機セル数は、子機４に接続される蓄電池５（単セルの鉛蓄電池）の数である。
【００４５】
本システムの各装置は、階層的に下位の装置の構成を把握し、上位の装置へ通知する機能を有する。例えば、子機４は、接続数把握部１４０を用いて、接続される蓄電池５の種類やＩＤ、接続数Ｘ等を把握し、第１構成情報を親機３へ通知する。親機３は、子機４の第１構成情報を把握し、統括親機２へ通知する。統括親機２は、親機３以下の構成情報を把握し、遠隔監視サーバ１へ通知する。遠隔監視サーバ１は、統括親機２からの通知等に基づいて、蓄電池システムの第２構成情報を把握する。
【００４６】
設定情報のうちの閾値は、遠隔監視サーバ１のアプリ（上位装置１０の監視アプリケーション１０１）等における、状態推定計算や寿命判定等の処理において用いる閾値である。この閾値としては、蓄電池種類や接続数Ｘ（＝３または４）に応じて異なる複数種類の閾値を有する。なお、この閾値や計算式やプログラム等は、本システム（上位装置１０の監視アプリケーション１０１等）における固定の設計情報としてもよいし、適宜に変更可能な設定情報としてもよい。ユーザは、ＧＵＩ画面で、上記構成情報や設定情報を含む各種の情報の確認や設定が可能である。
【００４７】
［蓄電池状態監視システム（２−２）］
図２の蓄電池状態監視システムでの動作概要は以下である。基本的には、設定に基づいて、自動的な測定および推定等の動作が実現される。
【００４８】
（１）遠隔監視サーバ１から、統括親機２、親機３、子機４の順で上位から下位へ通信し、設定や指令を送信する。なお、上位装置１０（遠隔監視サーバ１や統括親機２等）から下位の子機４等の装置に対し、通信を通じて各種の設定を行うことができる。また、前述のように、下位の子機４等の装置から上位の装置に対し、通信を通じて、構成情報の通知も可能である。子機４は、自身の接続数Ｘを含む構成情報を、上位の装置（親機３）へ通知する。
【００４９】
統括親機２は、蓄電池システムの設置時には、ユーザによる設定を含む作業に基づいて、蓄電池システムの構成を把握する。その構成の構成情報は、階層的な接続構成の各装置のＩＤや種類、子機４の蓄電池５の接続数Ｘ、蓄電池群５０の直列接続数や並列接続数、等の情報を含む。
【００５０】
（２）子機４は、親機３からの指令または設定に基づいて、所定の周期（例えば５分）の時間毎に、蓄電池５の電圧および温度の測定値を含む測定データを、親機３へ送信する。
【００５１】
（３）また、子機４は、所定の周期（例えば１日１回）での親機３からの指令（インピーダンス測定指令）または設定に基づいて、蓄電池５毎に、例えば２種類以上の測定周波数を用いてそれぞれの内部インピーダンスを測定する。子機４は、そのインピーダンス測定値（電圧波形データ）を含む測定データを、親機３へ送信する。
【００５２】
（４）親機３は、統括親機２の指令に基づいて、下位の複数の子機４と無線通信して、各子機４から各パラメータ（電圧、温度、および内部インピーダンス）の測定データを取得する。親機３は、取得した測定データを記憶すると共に、統括親機２へ送信する。
【００５３】
（５）統括親機２は、遠隔監視サーバ１の指令に基づいて、下位の複数の親機３と通信して親機３を制御し、親機３から測定データを取得する。統括親機２は、取得した測定データを記憶すると共に、遠隔監視サーバ１へ送信する。
【００５４】
（６）遠隔監視サーバ１のアプリは、統括親機２と通信して、統括親機２から上記測定データを取得し、ＤＢ１００に格納する。なお、この際、アプリは、構成情報に基づいて、測定データに係わる接続数Ｘ等の確認を行ってもよい。
【００５５】
（７）遠隔監視サーバ１のアプリは、測定データを用いて、遠隔監視処理の１つとして、蓄電池５毎の放電容量（放電持続時間で表される）の推定処理を行う。この際、遠隔監視サーバ１のアプリは、測定データについての接続数Ｘを確認し、接続数Ｘに応じた閾値や計算式を適用して、状態推定計算等を行う。アプリは、推定結果の放電容量から、蓄電池５の寿命時期を推定し、寿命時期に近付いた状態や保守時期等を判定する。
【００５６】
（８）遠隔監視サーバ１のアプリは、推定結果を含む監視情報をＤＢ１００に格納し、監視情報を含むＧＵＩ画面を構成する。ユーザは、ユーザ端末９からＧＵＩ画面で蓄電池５の状態を確認できる。また、遠隔監視サーバ１のアプリは、劣化等の状態を検出した場合、アナウンス情報をユーザ端末９に送信する。
【００５７】
［子機と蓄電池との接続］
図３は、１つの子機（測定装置）４と複数（接続数Ｘ）の蓄電池５との接続構成例、および蓄電池５の外観構成例を示す。実施の形態１では、１つの子機４は、最大４個の蓄電池５との接続が可能なインタフェース部３０１を備える。実装例では、電源装置４０全体で、各子機４には、３個または４個の接続数Ｘの蓄電池５が接続される。図３の例では、ある蓄電池装置６（ＩＤ＝Ｄ１）のある子機３（ＩＤ＝Ｃ１）において、インタフェース部３０１を通じて、３個の蓄電池５（ＩＤ＝Ｂ１，Ｂ２，Ｂ３）が１ユニットとして接続されている。直列接続される隣接する蓄電池３の負極端子と正極端子との端子間は電源ケーブル３０３で接続されている。
【００５８】
インタフェース部３０１は、蓄電池接続用の複数の端子を備える。インタフェース部３０１の端子と、蓄電池５の正極（＋）および負極（−）の端子とが、接続線３０２で接続されている。図３の接続構成例では、各蓄電池５の正極および負極の各端子に、それぞれ接続線３０２が接続され、インタフェース部３０１の対応する各端子と接続されている。また、１ユニットの正極および負極の端子にも接続線３０２が接続されている。本例では、破線で示すように、インタフェース部３０１の一部の端子には、蓄電池５が接続されていない非接続状態であり、接続数Ｘ＝３の状態である。
【００５９】
実施の形態１の実装例では、蓄電池５は、電圧が２Ｖの単セルタイプの鉛蓄電池が適用されている。１つの子機４に、接続数Ｘ＝３（または４）として、２Ｖ×３＝６Ｖ（または２Ｖ×４＝８Ｖ）が１ユニットとして接続される。子機４は、この単セルの蓄電池５毎の状態および１ユニットでの状態を測定可能である。上位装置１０は、この単セルの蓄電池５毎の状態および１ユニットでの状態を推定可能である。
【００６０】
他の実装例では、蓄電池５は、例えば、電圧が６Ｖまたは１２Ｖのモノブロックタイプの電池が適用できる。その場合、１つの子機４には１つのモノブロックタイプの蓄電池５が接続される。
【００６１】
蓄電池５は、外観としては、電槽５０１と蓋部５０２とを有する。蓋部５０２には、正極および負極の端子を備える。電槽５０１内部では、公知の構造例として、電解液中に浸された状態で正極板および負極板が配列され、ストラップを通じて正極端子や負極端子と接続されている。なお、蓄電池５の電槽５０１または蓋部５０２の面やその近傍の位置には、温度センサが設置される場合がある。
【００６２】
子機４（接続数把握部１４０）は、電源オンで起動された時等に、インタフェース部３０１の各端子に接続線３０２を通じて蓄電池５が接続されているか否かの状態を、対応する入力電気信号の有無等によって検出する機能を有する。これにより、接続数把握部１４０は、子機４での蓄電池５の接続数Ｘ（子機セル数）を把握する。また、子機４（接続数把握部１４０）は、作業者によってインタフェース部３０１に対し蓄電池５が接続された時や、接続されていた蓄電池５が取り外された（非接続にされた）時に、リアルタイムでその接続数Ｘの状態を検出してもよい。
【００６３】
なお、単セルの蓄電池５毎に子機４が接続される構成を考えた場合、システム全体で必要な子機４の数が多くなるので、コスト等の観点で不利である。電源装置４０の筐体に多数の子機４を設置しなければならないので、配線量や設置スペースや電波干渉等の観点でも不利である。実施の形態１では、１つの子機４で複数の単セルの蓄電池５の測定をカバーする構成とすることで、コスト等の観点で有利としている。
【００６４】
なお、図３では、測定用の接続線３０２の構成について、蓄電池５毎に、正極端子と負極端子との両方にそれぞれ接続線３０２が接続されている。例えば、隣接する蓄電池Ｂ１および蓄電池Ｂ２をみた場合に、蓄電池Ｂ１の負極端子との接続線３０２と、蓄電池Ｂ２の正極端子との接続線３０２とを有する。これに限らず、接続線３０２の他の構成として、図４のようにしてもよい。
【００６５】
図４は、接続線８０２に関する他の構成例を示す。図４の例では、子機４に、４個の単セルの蓄電池５が１ユニットとして接続されている。図４では、電圧等の測定用の接続線３０２として、隣接する蓄電池５の正極端子または負極端子の一方に、接続線３０２が接続されている。すなわち、隣接する蓄電池５間で１本の接続線３０２にまとめられている。例えば、蓄電池Ｂ１の負極端子と蓄電池Ｂ２の正極端子とにおいて、蓄電池Ｂ１の負極端子のみに接続線３０２が接続され、インタフェース部３０１の対応する端子と接続されている。この構成の場合、例えば蓄電池Ｂ１の負極電位と蓄電池Ｂ２の正極電位とを殆ど同じとみなして測定可能である。
【００６６】
なお、測定装置４の接続数把握部１４０は、自身に蓄電池５が接続されていない場合（Ｘ＝０）、あるいは、１個または２個の蓄電池５しか接続されていない場合（Ｘ＝１または２）の状態についても、区別して把握するようにしてもよい。測定装置４は、その状態（Ｘ＝０，１または２）の場合でも、接続数Ｘを含む情報を上位装置１０へ通知するようにしてもよい。その場合、上位装置１０の構成把握部１０１Ｄは、その通知に基づいて、その測定装置４の接続数Ｘ＝０，１または２の状態を把握可能である。
【００６７】
また、変形例として以下のようにしてもよい。測定装置４は、接続数Ｘ＝０，１または２の状態の場合には、Ｘ＝３または４の状態以外の所定の状態（例えば「保守中」状態）として区別して把握してもよい。実施の形態１の蓄電池状態監視システムおよび蓄電池システムでは、通常使用するすべての測定装置４および蓄電池群５０を、接続数Ｘ＝３または４の接続構成として運用する。そのため、測定装置４および上位装置１０は、例えば、Ｘ＝３の状態（第１種）またはＸ＝４の状態（第２種）を把握すると共に、それらの状態について例えば「通常」状態として把握する。また、測定装置４および上位装置１０は、Ｘ＝０，１または２の状態については、例えば「保守中」状態として把握する。
【００６８】
上位装置１０のＧＵＩ部１０１Ｃは、蓄電池システム（電源装置４０）の各測定装置１０および蓄電池５の状態（少なくとも接続数Ｘ）や構成がわかるように、ユーザに対し、ＧＵＩ画面等で情報を出力する。ユーザは、その状態や構成を認識しながら、システム保守運用を行うことができる。
【００６９】
［電源装置］
図５は、電源装置４０の構成例を示し、電源装置４０の筐体における複数の蓄電池５および子機４（一例として１台のみ）の配置構成例を示す。電源装置４０の筐体は、フレーム５０１、平面板５０２、図示しない側壁や扉等の部材で構成されている。平面板５０２は、高さ方向（Ｚ方向）に多段の構成が可能である。平面板５０２上に、複数の蓄電池５が配置可能である。本例では、ある１段の平面板５０２上において、正面でみたＸ方向の１列で５個、側面でみてＹ方向の４列で、５×４＝２０個の蓄電池５が配列されている。複数の蓄電池５（例えばＸ＝４個）を１ユニットとして、接続線３０２を通じて、１台の子機４が接続されている。子機４の設置位置は、例えば、いずれかの蓄電池５の側面あるいは上面である。これに限らず、子機４の設置位置は、電源装置４０の筐体のいずれかの位置としてもよい。
【００７０】
［比較例：接続構成］
図１０は、実施の形態１に対する比較例の蓄電池状態監視システムにおける、各装置間の接続関係の構成例を示す。図１０の（Ａ）は、上位装置９１０、複数の親機９０３、電源装置９４０の接続構成例を示す。電源装置９４０は、１台以上を有する。図１０の（Ａ）で、例えば、１台の上位装置９１０に対し、最大１２台の親機９０３が接続可能である。全測定装置９０４は、接続数Ｘ＝３の接続構成、またはＸ＝４の接続構成のいずれか一方であり、混在不可である。
【００７１】
さらに、図１０の（Ｂ）は、親機９０３と複数の子機（測定装置）９０４との接続、および子機９０４と複数の蓄電池９０５との接続を含む第１構成例を示す。図１０の（Ｃ）は、同様の第２構成例を示す。図１０の（Ｂ）の第１構成例は、接続数Ｘ＝４の場合である。全子機９０４において、１台の子機９０４には、直列接続された４個の単セルの鉛蓄電池が１ユニットとして接続されている。１ユニット（＝４セル）の両端の正極端子および負極端子に対して接続線を通じて子機９０４が電気的接続されている。この子機９０４は、１ユニットでの電圧、温度、内部インピーダンスを測定可能である。上位装置９１０は、測定装置９０４からの測定データに基づいて、Ｘ＝４の１ユニットを前提とした固定の閾値や計算式を用いて、１ユニットでの放電容量等の状態推定計算や寿命判定を行っている。１セルの蓄電池９０５の状態については、１ユニットの状態に基づいた概略的な推定に限られる。
【００７２】
図１０の（Ｃ）の第２構成例は、接続数Ｘ＝３の場合である。全子機９０４において、１台の子機９０４には、直列接続された３個の単セルの鉛蓄電池が１ユニットとして接続されている。上位装置９１０は、同様に、測定データに基づいて、Ｘ＝３の１ユニットを前提とした固定の閾値や計算式を用いて、１ユニットでの放電容量等の状態推定計算を行っている。
【００７３】
比較例では、実装として、（Ｂ）の第１構成例または（Ｃ）の第２構成例のいずれかの構成が採用されている。上位装置１０では、予め、いずれかの構成の固定の閾値等が設定されている。上位装置９１０のアプリでは、子機９０４から取得した測定データについて、Ｘ＝３または４の１ユニットの測定値を前提として、Ｘ＝３または４のいずれかに対応した閾値や計算式等を用いて、１ユニットの状態の推定計算処理を行う。そのため、仮に、２種の接続数Ｘ（＝３，４）の子機９０４が混在した状態である場合、上位装置９１０のアプリでは、正確な推定計算ができず、推定精度が低下する。例えば、Ｘ＝３の子機９０４の測定データについて、Ｘ＝４を前提とした閾値等を用いる場合、正確な推定計算はできない。
【００７４】
［接続構成］
図６は、実施の形態１の蓄電池状態監視システムにおける、各装置間の接続関係の構成例を示す。図６の（Ａ）は、上位装置１０、複数の親機３、電源装置４０の接続の構成例を示す。図６の（Ｂ）は、親機３と複数の子機（測定装置）４との接続、および子機４と複数の蓄電池５との接続を含む構成例を示す。図６の（Ｃ）は、蓄電池システム（電源装置４０）の蓄電池総数として可能なパターン等を示す。
【００７５】
図６の（Ａ）で、実施の形態１の蓄電池状態監視システムおよび蓄電池システムでは、１つの上位装置１０（図２の遠隔監視サーバ１、統括親機２等）に対し、例えば最大８台の親機３（ＩＤ＝Ｐ１〜Ｐ８）が接続可能である。複数の親機３に対し、１台以上の電源装置４０が接続可能である。電源装置４０の各測定装置４は、接続数Ｘ＝３または４の接続構成が可能であり、それらの２種の混在が可能である。
【００７６】
図６の（Ｂ）で、１台の親機３に対し、例えば最大２７０台の子機４（ＩＤ＝Ｃ１〜Ｃｍ）が接続および制御可能である。１台の子機４には、接続数Ｘ＝３またはＸ＝４の蓄電池５（単セルの鉛蓄電池）が接続されている。例えば、子機Ｃ１には、Ｘ＝３の蓄電池５（Ｂ１〜Ｂ３）が接続され、子機Ｃ２には、Ｘ＝４の蓄電池５（Ｂ４〜Ｂ７）が接続されている。
【００７７】
上位装置１０では、子機４からの測定データおよび把握している構成情報に基づいて、子機４の接続数Ｘに応じた状態推定計算処理等を行う。上位装置１０では、子機４から取得した測定データについて、接続数Ｘ＝３か４かを確認する。上位装置１０は、測定データについての接続数Ｘに応じた閾値や計算式（対応するプログラム）等を用いて、蓄電池５毎の放電容量等の状態を推定する計算を行う。なお、上位装置１０は、子機４の１ユニットでの状態を推定する計算も可能である。
【００７８】
上位装置１０の監視アプリケーション１０１には、予め、例えば、Ｘ＝３の場合の閾値や計算式と、Ｘ＝４の場合の閾値や計算式とが設定されており、接続数Ｘの確認に応じた閾値や計算式が参照される。閾値や計算式は、詳しくは、蓄電池種類、接続数Ｘ、直列接続数、並列接続数等に応じた、それぞれに異なる閾値や計算式を有する。
【００７９】
図６の（Ｃ）で、実施の形態１の蓄電池状態監視システムおよび蓄電池システムでは、接続数Ｘとして３または４の混在が可能である。そのため、Ｘ＝３と４との組み合わせを含め、蓄電池総数を実現する接続構成として各種のパターンが可能である。顧客拠点の蓄電池システムとして要求されている電力等に応じて、蓄電池総数が選択される。その際、本パターンで実現できる蓄電池総数が選択できる。選択されるパターンに対応して、子機４と蓄電池５との接続数Ｘの組み合わせの構成が採用される。本システムでは、図１０の比較例に比べて、利用可能なパターンが多く、実現できる蓄電池総数が多く、自由度が高い。本システムでは、要件に対応した各種の蓄電池総数や電力に対応しやすく、柔軟で多様な実装や運用が可能である。
【００８０】
本システムでは、直列接続の蓄電池総数（Ｙとする）を実現するパターンとして以下が挙げられる。まず、比較例および実施の形態１において、接続数Ｘ＝３の接続構成のみを用いて蓄電池システムを構成する場合、蓄電池総数Ｙとして、３倍数｛3,6,9,12,15,18,21,24,27,30,33,36,39,42,45,48,……｝が可能である。同様に、接続数Ｘ＝４の接続構成のみを用いて蓄電池システムを構成する場合、蓄電池総数Ｙとして、４倍数｛4,8,12,16,20,24,28,32,36,40,44,48,……｝が可能である。例えば単セルの鉛蓄電池の直列接続数＝５０までの範囲内で考えた場合、３倍数で可能なパターンの数は１６であり、４倍数で可能なパターンの数は１２である。
【００８１】
比較例では、３倍数または４倍数によって実現できる蓄電池総数Ｙとして、直列接続数＝５０までの範囲内では、以下となる。Ｙ＝3,4,6,8,9,12,15,16,18,20,21,24,27,28,30,32,33,36,39,40,42,44,45,または48。このＹの数は２４個である。
【００８２】
また、比較例で、接続数Ｘ＝３のみの場合で、実現できない蓄電池総数Ｙは、直列接続数＝３〜５０の範囲内で、３倍数以外（非３倍数の数）として、４８−１６＝３２個のパターンが存在する。３倍数以外：｛4,5,7,8,10,11,13,14,16,17,19,20,22,23,25,26,28,29,31,32,34,35,37,38,40,41,43,44,46,47,49,50,……｝。また、接続数Ｘ＝４のみの場合で、実現できない蓄電池総数Ｙは、直列接続数＝３〜５０の範囲内で、４倍数以外（非４倍数の数）として、４８−１６＝３６個のパターンが存在する。４倍数以外：｛5,6,7,9,10,11,13,14,15,17,18,19,21,22,23,25,26,27,29,30,31,33,34,35,37,38,39,41,42,43,45,46,47,49,50,……｝。比較例では、蓄電池総数Ｙとして実現できないパターンの数は、４８−２４＝２４である。実現できない蓄電池総数Ｙ：｛5,7,10,11,13,14,17,19,22,23,25,26,29,31,34,35,37,38,41,43,46,47,49,50,……｝。
【００８３】
一方、実施の形態１では、接続数Ｘ＝３の子機４と、接続数Ｘ＝４の子機４との組み合わせの構成が可能である。これにより、例えば直列接続数＝３〜５０の範囲内で考えた場合、殆どの蓄電池総数Ｙのパターンが実現でき、実現できない蓄電池総数Ｙ＝５のみであり、実現できる蓄電池総数Ｙのパターンは４７である。例えば、以下のような組み合わせも可能である。Ｙ＝７（=3+4），Ｙ＝１０（=3+3+4），Ｙ＝１１（=3+4+4），Ｙ＝１３（=3+3+3+4），Ｙ＝１４（=3+3+4+4），Ｙ＝１７（=3+3+3+4+4），Ｙ＝１９（=3+4+4+4+4），Ｙ＝２２（=3+3+4+4+4+4）。
【００８４】
上記のように、実施の形態１では、３と４の倍数の組み合わせによって殆どの蓄電池総数Ｙに対応可能である。比較例の場合に比べて、実施の形態１では、対応可能な蓄電池総数Ｙが大幅に増え、システム構成に関する自由度が高い。
【００８５】
［比較例：電源装置の接続構成］
図１１は、比較例の電源装置９４０における蓄電池群の接続構成例を示す。電源装置９４０の筐体において、上段、中段、下段の３段に分けて、直列接続数（直列セル数）＝５４の蓄電池群が配置される場合の構成例を示す。なお、組電池の並列接続が無い構成の場合である。すべての測定装置９０４および蓄電池９０５は、１台の測定装置９０４にＸ＝３個の単セルの鉛蓄電池が１ユニットとして接続される構成である。直列接続数＝５４（電圧：５４×２Ｖ＝１０８Ｖ）における蓄電池総数Ｙ＝５４の蓄電池システムとする場合に、３セル×１８グループで実現できる場合を示す。
【００８６】
従来の実装例の蓄電池システムでは、本例のように、電源装置９４０で蓄電池群が多段の配置構成になる場合がある。この場合に、１段において、複数の蓄電池９０５が、３個または４個の蓄電池９０５のグループにきれいに分けて収まるとは限らず、３個または４個の蓄電池９０５のグループを、２段にわたって段跨ぎで接続しなければならない場合がある。
【００８７】
図１１の例では、例えば上段の平面板（Ｘ−Ｙ面）上において、１行５個が４列で、５×４＝２０個の蓄電池９０５（ＩＤ＝Ｂ１〜Ｂ２０）が直列接続で配置されている。同様に中段では、５×４＝２０個の蓄電池９０５（ＩＤ＝Ｂ２１〜Ｂ４０）が直列接続で配置されている。下段では、４×３＋２＝１４個の蓄電池９０５（ＩＤ＝Ｂ４１〜Ｂ５４）が直列接続で配置されている。隣接する蓄電池９０５同士は、負極、正極の端子間が電源ケーブル（黒色実線）で接続されている。
【００８８】
例えば上段では、接続数Ｘ＝３個の蓄電池９０５毎にグループが構成され、測定装置（子機）９０４が接続されている。例えば蓄電池Ｂ１，Ｂ２，Ｂ３はグループ＃１として構成され、子機Ｃ１が接続されている。例えば、蓄電池Ｂ１９，Ｂ２０，Ｂ２１が１つのグループ＃７を構成して１つの測定装置９０３（子機Ｃ７）と接続されている。このグループ＃７では、上段の蓄電池Ｂ１９，Ｂ２０と中段の蓄電池Ｂ２１とに分かれて、段跨ぎで配置されている。また、蓄電池Ｂ４０，Ｂ４１，Ｂ４２が１つのグループ＃１４を構成して１つの測定装置９０４（子機Ｃ１４）と接続されている。このグループ＃１４では、中段の蓄電池Ｂ４０と下段の蓄電池Ｂ４１，Ｂ４２とに分かれて、段跨ぎで配置されている。
【００８９】
比較例では、蓄電池総数Ｙ＝５４としたい場合、このように３セル×１８グループの構成のみで実現できるが、段跨ぎ接続が必要である。Ｘ＝４の接続を用いる場合、４セル×１３グループ＝５２で、２セルが余ってしまい、実現できない。
【００９０】
このように段跨ぎで接続される場合、１つの測定装置９０４と複数（例えば３個）の蓄電池９０５との接続のハーネス等の配線が長くなってしまう。その分、その配線で誘導して生起されるノイズの量が多くなる。例えば蓄電池９０５の内部インピーダンスの測定の際にそのノイズが影響して測定精度を低下させる恐れがある。例えば、グループ＃７の蓄電池５（Ｂ１９，Ｂ２０，Ｂ２１）のインピーダンス測定値には、子機Ｃ７との配線に対応するインピーダンスが含まれて誤差となる。配線が長くなることで、電磁誘導によるインピーダンス測定値の誤差が大きくなってしまい、精度が低くなる。そのため、このような段跨ぎ接続、言い換えると蓄電池９０５間の距離が長い接続は、なるべく少ないまたは無いことが望ましい。
【００９１】
比較例のシステムでは、３個の蓄電池９０５のグループと、４個の蓄電池９０５のグループとの混在の構成は許容されておらず、そのような構成とする場合の監視制御は実現できない。上位装置９１０のアプリの構成では、接続数Ｘ＝３または４のいずれかの接続構成の前提に対応した固定の閾値等の設定情報を有する。上位装置９１０は、すべての測定データについて、その固定の閾値等を適用して状態推定計算処理等を行う。Ｘ＝３とＸ＝４の構成が混在した場合、例えばＸ＝３の測定データにＸ＝４の閾値等が適用され、正確な状態推定計算等はできない。
【００９２】
［電源装置の接続構成］
図７は、実施の形態１での電源装置４０の蓄電池群５０の接続構成例を示す。電源装置４０の筐体において、上段、中段、下段の３段に分けて、直列接続数（直列セル数）＝５４（電圧：２Ｖ×５４＝１０８Ｖ）、蓄電池総数Ｙ＝５４の蓄電池群５０が配置される場合の構成例を示す。蓄電池システム（電源装置４０）の構成例として１００Ｖ系直流電源とする場合であり、組電池の並列接続が無い構成（並列接続数＝１）の場合である。接続数Ｘ＝４の１２個のグループ（＃１〜＃１２）の接続構成と、Ｘ＝３の２個のグループ（＃１３，＃１４）の接続構成との混在によって実現される場合を示す（４×１２＋３×２＝５４）。
【００９３】
上段では、接続数Ｘ＝４の４セルを１グループとして、５グループ（＃１〜＃５）の蓄電池５（Ｂ１〜Ｂ２０）および対応する子機４（Ｃ１〜Ｃ５）を有する。同様に、中段では、Ｘ＝４を１グループとして、５グループ（＃６〜＃１０）の蓄電池５（Ｂ２１〜Ｂ４０）および対応する子機４（Ｃ６〜Ｃ１０）を有する。下段では、Ｘ＝４による２つのグループ＃１１，＃１２と、Ｘ＝３による２つのグループ＃１３，＃１４とを有し、２×４＋２×３＝１４個の蓄電池５（Ｂ４１〜Ｂ５４）および対応する子機４（Ｃ１１〜Ｃ１４）を有する。
【００９４】
このように、実施の形態１では、電源装置４０における複数の蓄電池５を、段毎にグループに分けて、段跨ぎでの接続無しで、子機４との接続が可能である。よって、子機４と複数の蓄電池５との接続のハーネス等の配線（接続線３０２）が短くて済み、その分、配線で誘導して生起されるノイズの量が少なくなる。測定装置４が蓄電池５の内部インピーダンスを測定する際に、そのノイズの影響が小さくなるので、比較例よりも測定精度を確保または向上することができる。実施の形態１では、子機４と蓄電池５との接続構成の組み合わせの自由度が高いので、蓄電池総数Ｙに関する他の各種の構成とする場合でも、少なくとも段跨ぎ接続を最小限にすることができ、配線長さを短くすることができる。
【００９５】
上記構成に限らず、例えば１段に１９個の蓄電池５が配置される場合でも、４セル×４グループ＋３セル×１グループ＝１９として構成できる。１段に２１個の蓄電池５が配置される場合でも、例えば４セル×３＋３セル×３＝２１として構成できる。このように、１段において近接して配置される複数の蓄電池５は、殆どの数が３と４の組み合わせで実現できる。そのため、段跨ぎ接続が不要となる。
【００９６】
上記のように、実施の形態１の蓄電池状態監視システムでは、接続数Ｘとして３と４との組み合わせによって殆どの蓄電池総数Ｙのパターンに対応できることを考慮して、測定装置４と複数の蓄電池５との接続を含む構成が設計されている。本システムは、制御電源装置６０として直流電源装置等を用いる場合で、蓄電池群５０の蓄電池５の直列接続数が３と４の倍数の組み合わせとなる殆どの場合において、好適に適用できる。
【００９７】
実施の形態１の蓄電池状態監視システムでは、３セルと４セルの混在の蓄電池システムの場合でも、その構成に対応した監視制御を実現できる。例えば、統括親機２では、顧客拠点での蓄電池システムの設置時に、子機４毎の接続数Ｘ、直列接続数、並列接続数、等の構成情報が、設置データとして設定される。そして、統括親機２から遠隔監視サーバ１へ、設置データが送信される。遠隔監視サーバ１は、設置データの構成情報を取得し、ＤＢ１００に設定する。上位装置１０は、蓄電池システムの接続数Ｘの混在を含む構成情報を管理する。
【００９８】
そのため、本システムでは、子機４で測定されて上位装置１０へ転送された測定データと、上位装置１０で管理されている構成情報や設定情報とが整合している。上位装置１０では、下位の装置から取得した測定データに基づいて、構成情報に基づいて、子機４の蓄電池５の接続数Ｘ等を確認できる。上位装置１０は、その接続数Ｘ等に対応した閾値や計算式を用いて、状態推定計算処理等を行う。
【００９９】
なお、測定装置４や上位装置１０における接続数Ｘの確認や判断については、例えば以下のように行ってもよい。
【０１００】
（１）１つの方式として、子機４は、自身での測定データに、接続数Ｘの情報を記述しない。上位装置１０は、下位の装置から受信、取得した測定データについて、送信元の子機４のＩＤ等の属性情報を参照、確認する。上位装置１０は、送信元の子機４のＩＤから、第２構成情報を参照し、その子機４の接続数Ｘや蓄電池５のＩＤを確認する。上位装置１０は、その子機４のグループの接続数Ｘ＝３または４に対応した閾値や計算式を参照して、状態推定計算処理等を行う。
【０１０１】
（２）他の１つの方式として、子機４は、自身での測定データに、接続数Ｘ＝３または４の情報を記述する。上位装置１０は、下位の装置から受信、取得した測定データについて、記述されている情報から、送信元の子機４のＩＤや接続数Ｘや蓄電池５のＩＤ等の情報を確認する。上位装置１０は、その子機４のグループの接続数Ｘ＝３または４に対応した閾値や計算式を参照して、状態推定計算処理等を行う。
【０１０２】
［構成情報］
図８は、上位装置１０（構成把握部１０１Ｄ）で管理される構成情報の例である表を示す。例えば蓄電池システム（電源装置４０）の設置時に、統括親機２および遠隔監視サーバ１は、このような表の構成情報を設定し、内容を共有および同期して保持する。
【０１０３】
図８の（Ａ）の表は、構成情報の例として、親機３と子機４との接続構成部分について示す。この表は、列として、統括親機ＩＤ、親機ＩＤ、子機ＩＤ、グループＩＤ、接続数Ｘ、等を有する。なお、グループＩＤは省略可能である。例えば、ＩＤ＝「1001」で示すある統括親機２には、ＩＤ＝Ｐ１で示す親機３が接続され、その親機Ｐ１には、ＩＤ＝Ｃ１〜Ｃ１４で示す子機４が接続されている。子機Ｃ１〜Ｃ１４は、それぞれ、接続数Ｘとして、３（第１種）または４（第２種）が設定されている。
【０１０４】
図８の（Ｂ）の表は、構成情報の例として、子機４と蓄電池５との接続構成部分について示す。この表は、列として、子機ＩＤ、蓄電池ＩＤ、蓄電池種類、蓄電池位置、等を有する。例えば、ＩＤ＝Ｃ１で示すある子機４には、ＩＤ＝Ｂ１〜Ｂ４で示す４個の単セルの鉛蓄電池である蓄電池５が１ユニットとして接続されている。蓄電池種類＝Ａは、単セルの鉛蓄電池（例えば電圧が２Ｖ）を示す。蓄電池位置は、電源装置４０においてその蓄電池が設置されている位置を識別する情報を示し、例えば図７の上段、中段、下段の識別や、Ｘ方向の位置（１〜５）やＹ方向の位置（Ａ〜Ｄ）を示す。
【０１０５】
図８の（Ｃ）の表は、測定データおよび状態推定結果情報の概要構成例を示す。この表は、子機ＩＤ、蓄電池ＩＤ、電圧、温度、インピーダンス、放電容量、状態、等を有する。測定データは、図示しないが、時系列での測定日時等の情報を伴う。電圧、温度、インピーダンス等の測定値は、詳しくは、別のファイル（アドレス）の情報にリンクしており、測定日時毎の測定値を有する。放電容量や状態の列は、状態推定結果の情報が格納される。例えば、推定された放電容量（放電持続時間）が所定の閾値以上である場合には、「正常」状態と判定され、閾値未満である場合には、「劣化」状態等とされる。
【０１０６】
実施の形態１の蓄電池状態監視システムでは、例えば、図８の（Ａ），（Ｂ）のような構成情報を、上位装置１０（遠隔監視サーバ１、統括親機２等）が保持している。例えば、遠隔監視サーバ１は、ある子機４（例えば子機Ｃ１）からの測定データを取得した場合、図８の（Ａ）のような構成情報から、その子機Ｃ１の接続数Ｘが４であると確認できる。そのため、遠隔監視サーバ１は、Ｘ＝４に対応した計算式や閾値を用いて、状態推定計算処理等を行うことができる。
【０１０７】
［子機（測定装置）］
図９は、実施の形態１での子機（測定装置）４の詳しい構成例を示す。この子機４は、各パラメータ（電圧、温度、内部インピーダンス）を測定するための測定回路を含む。子機４は、マイコン４１、アンテナ４２、Ｖ／Ｉ変換部４３、レギュレータ４４、マルチプレクサ４５、差動アンプ４６、ＡＣ差動アンプ４７、温度センサ４１１、温度センサ４１２等を備える。この子機４では、マイコン４１等によって、各パラメータの測定機能や図１の構成把握部１４０が実装されている。なお、図９の接続構成例では、１つの子機４に、直列接続された４個の単セルの鉛蓄電池である蓄電池５（ＩＤ＝Ｂ１〜Ｂ４）が１ユニットとして接続されている。図９の接続構成例は、前述の図４と対応している。各蓄電池５は、図４と同様に各接続線３０２を通じてインタフェース部３０１と接続されている。なお、３個の蓄電池５が１ユニットとして接続される場合、測定装置４内の一部の回路（例えばＡＣ差動アンプ＃４）を使用しない構成となる。
【０１０８】
マイコン４１は、公知のＣＰＵ等の他に、ＤＡＣ４０１、メモリ４０２、ＲＦ部４０３、ＡＤＣ４０４等を備える。ＤＡＣ４０１は、デジタル・アナログ変換器である。ＡＤＣ４０４は、アナログ・デジタル変換器である。メモリ４０２は、不揮発性メモリ等であり、測定データや構成情報等が記憶保持される。ＲＦ部４０３は、アンテナ４２と接続された高周波（Radio frequency：ＲＦ）部であり、アンテナ４２を用いて無線通信網８０の無線通信インタフェースでの通信処理を行う。ＲＦ部４０３は、オンボード（マイコン４１内蔵）で実装されている。アンテナ４２は、パターンアンテナを用いて子機４の筐体内に実装されている。
【０１０９】
マイコン４１は、内部インピーダンスの測定の際、ＤＡＣ４０１を用いて、例えば２種の測定周波数でのそれぞれの正弦波電圧波形４２１を順に発生する。また、マイコン４１は、電圧の測定の際、マルチプレクサ４５の制御によって、測定対象の蓄電池５を順に選択する。
【０１１０】
Ｖ／Ｉ変換部４３は、電圧／電流変換部であり、ＡＤＣ４０１からの測定周波数の正弦波電圧波形４２１を入力し、その正弦波電圧波形４２１を電流に変換して電流波形として出力する。Ｖ／Ｉ変換部４３の出力線は、インタフェース部３０１の対応する端子および接続線３０２を通じて、１ユニットの蓄電池５（そのうちの第１の蓄電池Ｂ１）の正極端子に接続されている。１ブロックの蓄電池５（そのうちの第４の蓄電池Ｂ４）の負極端子は、接続線３０２およびインタフェース部３０１の対応する端子を通じて、接地（ＧＮＤ）されている。測定周波数での電流波形は、１ユニットの４個の蓄電池５に対して共通に流れる。
【０１１１】
実施の形態１では、子機４は、自身の動作用の内部電源として、自身に接続されている蓄電池５の電力を使用する。１ユニットの蓄電池５の正極端子は、インタフェース部３０１の対応する端子等を通じて、レギュレータ４４に接続されている。レギュレータ４４を通じて蓄電池５から入力されて一定電圧として出力される電力が、子機４の内部電源として使用される。
【０１１２】
マルチプレクサ４５は、複数（例えば２つ）のマルチプレクサ回路（ＭＵＸ１，ＭＵＸ２）で構成される。各マルチプレクサ回路は、マイコン４１からの制御に基づいて複数の入力のうち選択された１つを出力する。マルチプレクサ４５は、入力端子側が、１ユニットの各蓄電池５の端子と、インタフェース部３０１の対応する端子等を通じて接続されている。マルチプレクサ４５は、出力端子側が、差動アンプ４６の入力端子と接続されている。例えば、第１マルチプレクサ回路ＭＵＸ１は、４つの入力端子が、４個の蓄電池５（Ｂ１〜Ｂ４）の正極端子と接続されている。第２マルチプレクサ回路ＭＵＸ２は、４つの入力端子が、４個の蓄電池５（Ｂ１〜Ｂ４）の負極端子と接続されている。第１マルチプレクサ回路ＭＵＸ１の出力端子と第２マルチプレクサ回路ＭＵＸ２の出力端子とが、差動アンプ４６の２つの入力端子と接続されている。マルチプレクサ４５の選択状態に応じて、１ユニットの４個の蓄電池５のうちの１つ、または直列接続された複数（２個、３個、または４個）の蓄電池５を選択できる。そして、選択された蓄電池５の端子間電圧を差動アンプ４６に入力することができる。
【０１１３】
差動アンプ４６の１つの出力端子はＡＤＣ４０４と接続されている。差動アンプ４６は、マルチプレクサ４５からの２つの信号の差分を増幅して、測定対象の蓄電池５の端子間電圧（電圧Ｖｉで表す）として出力する。
【０１１４】
ＡＤＣ４０４は、差動アンプ４６からのアナログの電圧Ｖｉを入力してアナログ・デジタル変換によってデジタルの電圧値に変換する。マイコン４１は、この電圧値である測定電圧値をメモリ４０２に記憶する。
【０１１５】
ＡＣ差動アンプ４７として、複数（４個）のＡＣ差動アンプ４７（＃１〜＃４）を有する（ＡＣ：交流）。それぞれのＡＣ差動アンプ４７は、入力端子側が、１ユニットのうちの対応する１つの蓄電池５（Ｂ１〜Ｂ４）と接続されている。例えば、第４のＡＣ差動アンプ４７（＃４）の２つの入力端子は、第４の蓄電池Ｂ４の正極および負極の端子と、インタフェース部３０１の対応する端子等を通じて接続されている。それぞれのＡＣ差動アンプ４７の出力端子は、ＡＤＣ４０４と接続されている。各ＡＣ差動アンプ４７は、対応する蓄電池５の正極および負極の端子から、測定周波数での応答電流波形に対応する電圧波形４２３を入力する。ＡＣ差動アンプ４６は、２つの電流信号の入力の差分に基づいて、出力端子から、測定周波数でのインピーダンス応答波形４２２の電圧信号を出力する。
【０１１６】
ＡＤＣ４０４は、それぞれのＡＣ差動アンプ４７からのインピーダンス応答波形４２２のアナログ電圧信号を入力して、アナログ・デジタル変換（サンプリング）によってデジタル電圧値にし、インピーダンス測定値とする。マイコン４１は、そのインピーダンス測定値データをメモリ４０２に記憶する。マイコン４１（または上位装置１０）は、そのインピーダンス測定値データに基づいて、対象の蓄電池５の内部インピーダンスを計算する。
【０１１７】
温度センサ４１１は、子機４が設置されている環境における環境温度を常時に測定する。マイコン４１は、温度センサ４１１による温度測定値（Ｔ０とする）を入力し、メモリ４０２に記憶する。また、１ユニットの複数の蓄電池５の近傍位置に少なくとも１つの温度センサ４１２が設置されている。温度センサ４１２は、蓄電池５の近傍位置での近傍温度を常時に測定する。マイコン４１は、温度センサ４１２の温度測定値（Ｔｉとする）を入力し、メモリ４０２に記憶する。
【０１１８】
メモリ４０２には、測定データとして、例えば、測定日時の時系列で、蓄電池５（Ｂ１〜Ｂ４）毎に、電圧測定値、温度測定値、インピーダンス測定値を有する。マイコン４１は、蓄電池５毎の各パラメータの測定値を含む測定データを、ＲＦ部４０３による無線通信処理を通じて、親機３へ送信する。
【０１１９】
インタフェース部３０１の蓄電池接続用の端子、例えば端子ｔ２，ｔ３に、接続線３０２を通じて、第１の蓄電池Ｂ１の正極、負極の端子が接続される。その場合、それらの端子ｔ２，ｔ３からの入力電気信号が有ることが、差動アンプ４６またはＡＣ作動アンプ４７等を通じて、マイコン４１で検出可能である。そのため、マイコン４１は、インタフェース部３０１の各端子の位置に蓄電池５が接続されているか否かを検出できる。よって、マイコン４１は、蓄電池５の接続数Ｘを把握できる。
【０１２０】
［ＧＵＩ画面］
遠隔監視サーバ１等が出力するＧＵＩ画面には、ＤＢ１００に格納されている設定情報、構成情報、測定データ、監視情報等を含む各種の情報が表示可能である。画面には、例えば監視情報として、蓄電池システムおよび蓄電池５（ＩＤ）毎に、電圧、温度、および内部インピーダンスの各測定値や、推定された放電容量、寿命時期等の状態が、表やグラフ等の形式で表示可能である。また、画面には、蓄電池システムの階層的な接続構成や子機４毎の接続数Ｘを含む構成情報が表示可能である。また、保守時期等のアナウンス情報は、画面に限らず、メール通知等でも出力可能である。画面やアナウンス情報では、推定した蓄電池５の寿命時期だけでなく、寿命に達するよりも前の時期として、推奨する保守時期を出力可能である。ユーザは、蓄電池５の寿命時期や保守時期を前もって知ることができ、保守対応が容易になる。
【０１２１】
［効果等］
上記のように、実施の形態１の蓄電池状態監視システムによれば、蓄電池システム内での測定装置４と複数の蓄電池５との接続構成の自由度を高くでき、蓄電池総数やそれによる電力の自由度を高くでき、より高精度の測定や状態推定ができる。本システムによれば、接続数Ｘ＝３または４の組み合わせによって、殆どの蓄電池総数等に対応でき、段跨ぎ接続等を回避して配線ノイズを低減でき、測定精度を確保または向上できる。
【０１２２】
実施の形態１の蓄電池状態監視システムでは、前述のように、測定装置（子機）４および上位装置１０（親機３、統括親機２、遠隔監視サーバ１等）は、それぞれ、接続数Ｘ＝３または４の構成を把握する機能を有する。少なくとも、蓄電池システムの設置時に、上位装置１０では、構成情報として、Ｘ＝３または４の混在を許容する構成情報が設定される。さらには、蓄電池システムの運用時に、接続数Ｘの構成が変更された場合でも、装置間通信に基づいて、構成情報が更新される。各子機４での測定データは、上位装置１０の構成情報や設定情報と、接続数Ｘ等の点で整合している。例えば、遠隔監視サーバ１は、子機４からの測定データと、構成情報とに基づいて、接続数Ｘ等を確認でき、その接続数Ｘに対応した閾値や計算式を用いて、状態推定計算処理等が可能である。よって、上位装置１０では、蓄電池５毎の状態を正確で高精度に推定することが可能である。
【０１２３】
なお、実施の形態１の蓄電池状態監視システムでは、接続数Ｘ＝３または４の混在が可能であるため、以下のような保守運用の事例にも対応可能であり、保守性が良好である。最初、ある測定装置４において、例えば接続数Ｘ＝４として、４個の単セルの鉛蓄電池が接続されたとする。それらの４個の蓄電池５のうち、ある１個の蓄電池５の劣化等が検出された場合に、その１個の蓄電池５が取り外される。それにより、その測定装置４には、一時的に３個の蓄電池５が接続された状態となる。この際、本システムでは、その測定装置４について、接続数Ｘ＝３の状態として把握され、構成情報が更新される。本システムでは、その測定装置４と３個の蓄電池５について、稼動継続することも可能である。その後、保守交換作業で、その測定装置４に、新しい１個の蓄電池５が接続された場合、接続数Ｘ＝４の状態に戻り、構成情報が更新される。
【０１２４】
実施の形態１の蓄電池状態監視システムでは、費用対効果や動作電圧等を考慮して、子機４の蓄電池５の接続数Ｘを３または４として設計したが、これに限らず、変形例として、他の接続数Ｘも可能である。例えば、接続数Ｘ＝２または３としてもよい。接続数Ｘ＝１または２としてもよい。接続数Ｘ＝５を可能としてもよい。接続数Ｘとして３種以上の数を可能としてもよい。
【０１２５】
他の実施の形態（変形例）の蓄電池状態監視システムとして以下も可能である。変形例のシステムとして、図２の統括親機２と複数の各親機３とが、無線通信網で接続されてもよい。図２の複数の親機３と複数の子機４とが、有線通信網で接続されてもよい。また、統括親機２、親機３、子機４といった３階層の構成としたが、これに限らず、複数階層（例えば２階層や４階層）の構成としてもよい。測定装置４と上位装置１０とが１つの装置に統合されてもよい。
【０１２６】
変形例のシステムとして、測定装置（子機）４での測定処理のうちの一部を、上位装置１０（遠隔監視サーバ１、統括親機２、または親機３等）で行わせるようにしてもよい。また、上位装置１０（遠隔監視サーバ１、統括親機２、または親機３等）での推定処理等の一部を、測定装置（子機）４で行わせるようにしてもよい。また、子機４は、測定装置と通信装置とで分けて構成されてもよい。
【０１２７】
他の実施の形態では、蓄電池５は、鉛蓄電池に限らず、他の種類の蓄電池が適用可能である。また、測定装置４に、蓄電池５の電流値を測定する機能や、直流抵抗値を計算する機能等を追加してもよい。また、測定装置４のメモリまたは外部ストレージ等に格納された測定データ等を、ユーザが必要時に手動で読み出して取得可能な形態としてもよい。
【０１２８】
以上、本発明を実施の形態に基づき具体的に説明したが、本発明は前述の実施の形態に限定されず、その要旨を逸脱しない範囲で種々変更可能である。
【符号の説明】
【０１２９】
４…測定装置（蓄電池状態測定装置）、５…蓄電池、１０…上位装置（監視処理装置）、４０…電源装置、５０…蓄電池群、６０…制御電源装置、６１…充放電制御部、７１…商用電源（電力系統）、７２…負荷、７３…発電装置、１０１…監視アプリケーション、１０２…通信網、１０１Ａ…測定データ取得部、１０１Ｂ…放電容量推定部、１０１Ｃ…ＧＵＩ部、１０１Ｄ…構成把握部、１４０…接続数把握部、Ｘ…接続数。
【図１】
2019192562.tif 000003
【図２】
2019192562.tif 000004
【図３】
2019192562.tif 000005
【図４】
2019192562.tif 000006
【図５】
2019192562.tif 000007
【図６】
2019192562.tif 000008
【図７】
2019192562.tif 000009
【図８】
2019192562.tif 000010
【図９】
2019192562.tif 000011
【図１０】
2019192562.tif 000012
【図１１】
2019192562.tif 000013